(57)【特許請求の範囲】
【請求項１】
設置面に対して垂直に配置された二つの対向する面を形成する側板などの構造体部品と、交換可能な部品とを有する画像形成部を有し、
前記構造体部品と、前記構造体部品を含んで構成された構造体の間に前記設置面と平行に配置された仕切り板と、前記構造体に固定されかつ前記仕切り板と接する略Ｌ字型のステーの２つの面と、それらによって５つの面が囲まれることで画像形成部と隔てられた空間を形成し、
前記仕切り板と前記ステーがネジ締結、リベット留め、溶接などによって固定されており、
前記画像形成部と隔てられた空間に、基板等の通電を要する部品または該部品とそれを保持するブラケットのセットが配置され、その配置が前記ステーへの取り付けでなされている画像形成装置において、
前記ステーの側板と接する辺に切り欠きを設け、前記基板から出たハーネスが前記切り欠きを経て設けられており、前記側板の前記ステーと接する部位が、前記ステーと接する面と反対方向に凹形状部位が設けられ、前記基板からの前記ハーネスが該凹形状部位と前記ステーの間を経路としていることを特徴とする画像形成装置。
【請求項２】
請求項１の画像形成装置において、前記ステーの切り欠きもしくは前記側板の凹形状部位もしくはそれらの両方によって、２箇所以上のハーネス経路が形成されることを特徴とする画像形成装置。
【請求項３】
請求項２の画像形成装置において、前記複数の経路にＡＣ用ハーネスとＤＣ用ハーネスを分けて通していることを特徴とする画像形成装置。
【請求項４】
請求項１から３のいずれかの画像形成装置において、前記交換可能な部品が、トナーやインク等の消耗品を含む消耗部品であることを特徴とする画像形成装置。
【請求項５】
請求項１から３のいずれかの画像形成装置において、前記交換可能な部品が、感光体ユニットであることを特徴とする画像形成装置。
【請求項６】
請求項１から３のいずれかの画像形成装置において、前記交換可能な部品が、現像ユニットであることを特徴とする画像形成装置。
【請求項７】
請求項１から３のいずれかの画像形成装置において、前記交換可能な部品が、感光体ユニットと現像ユニットを一体化したカートリッジであることを特徴とする画像形成装置。
【請求項８】
請求項１から３のいずれかの画像形成装置において、前記交換可能な部品が、感光体ユニットと書込み用ＬＤを一体化したカートリッジであることを特徴とする画像形成装置。
【請求項９】
請求項１から３のいずれかの画像形成装置において、前記交換可能な部品が、画像形成用のインク射出ユニットであることを特徴とする画像形成装置。
【請求項１０】
請求項１から３のいずれかの画像形成装置において、前記交換可能な部品が、ユーザーによって交換可能な部品が、画像形成用のインク射出ユニットとインクを含む消耗部品ユニットを一体化したカートリッジであることを特徴とする画像形成装置。
【発明の詳細な説明】
【技術分野】
【０００１】
本発明は、複写機、ファクシミリ、プリンタ、プロッタ等またはそれら複数の機能を備えた複合機等の画像形成装置に関し、詳細にはその構造体の構成に関する。
【背景技術】
【０００２】
画像形成装置において、各種発熱による温度上昇は非常に重要な問題である。特に、トナーを扱う画像形成部や、電気素子を持つ基板等の温度上昇の様相は機種によってそれぞれ異なり、細かくチェックする必要がある。
【０００３】
従来公知の画像形成装置のいくつかでは、画像形成部と基板が配置された空間がつながっている場合があり、画像形成装置の機内あるいは筐体内の空気の流れが分かりにくく、また、それぞれの発熱がお互いに影響を及ぼし合うことで温度上昇の問題を複雑にしてしまっている。その結果として、機内温度上昇に対する対策を効率的に実施することが困難な場合がある。
【０００４】
また、画像形成装置において、ユーザーの安全性が十分に確保されるような設計が絶対条件となっている。特にユーザーが部品交換を行うような場合、その作業中において高温になる部位や電流が流れているような部位には触れることができないように機内に仕切り等が設けられ、ユーザーの安全性を確保している。
【０００５】
【特許文献１】特開２００３−３２４２９０号公報
【特許文献２】特開２００２−２４０３９３号公報
【特許文献３】特開２００２−３４９７５号公報
【発明の開示】
【発明が解決しようとする課題】
【０００６】
そこで本発明は、装置内部のステーの配置を工夫し、空間を分けて熱のやり取りを妨げることで温度上昇の問題を切り分け単純化を図り、またユーザーが作業中に可触となる空間と危険な部位とを空間的に隔て得る画像形成装置を提案するものである。また本発明は、空間を物理的に隔てるが故に問題となるハーネスの這い回しについての新規な構成を有する画像形成装置を提案するものである。
【課題を解決するための手段】
【０００７】
本発明の画像形成装置のうち請求項１に係るものは、設置面に対して垂直に配置された二つの対向する面を形成する側板などの構造体部品と、交換可能な部品とを有する画像形成部を有し、
前記構造体部品と、前記構造体部品を含んで構成された構造体の間に前記設置面と平行に配置された仕切り板と、前記構造体に固定されかつ前記仕切り板と接する略Ｌ字型のステーの２つの面と、それらによって５つの面が囲まれることで画像形成部と隔てられた空間を形成し、
前記仕切り板と前記ステーがネジ締結、リベット留め、溶接などによって固定されており、
前記画像形成部と隔てられた空間に、基板等の通電を要する部品または該部品とそれを保持するブラケットのセットが配置され、その配置が前記ステーへの取り付けでなされている画像形成装置において、
前記ステーの側板と接する辺に切り欠きを設け、前記基板から出たハーネスが前記切り欠きを経て設けられており、前記側板の前記ステーと接する部位が、前記ステーと接する面と反対方向に凹形状部位が設けられ、前記基板からの前記ハーネスが該凹形状部位と前記ステーの間を経路としていることを特徴とする。
【０００９】
請求項２に係るものは、請求項１の画像形成装置において、前記ステーの切り欠きもしくは前記側板の凹形状部位もしくはそれらの両方によって、２箇所以上のハーネス経路が形成されることを特徴とする。
【００１０】
請求項３に係るものは、請求項２の画像形成装置において、前記複数の経路にＡＣ用ハーネスとＤＣ用ハーネスを分けて通していることを特徴とする。
【００１１】
請求項４に係るものは、請求項１から３のいずれかの画像形成装置において、前記交換可能な部品が、トナーやインク等の消耗品を含む消耗部品であることを特徴とする。
【００１２】
請求項５に係るものは、請求項１から３のいずれかの画像形成装置において、前記交換可能な部品が、感光体ユニットであることを特徴とする。
【００１３】
請求項６に係るものは、請求項１から３のいずれかの画像形成装置において、前記交換可能な部品が、現像ユニットであることを特徴とする。
【００１４】
請求項７に係るものは、請求項１から３のいずれかの画像形成装置において、前記交換可能な部品が、感光体ユニットと現像ユニットを一体化したカートリッジであることを特徴とする。
【００１５】
請求項８に係るものは、請求項１から３のいずれかの画像形成装置において、前記交換可能な部品が、感光体ユニットと書込み用ＬＤを一体化したカートリッジであることを特徴とする。
【００１６】
請求項９に係るものは、請求項１から３のいずれかの画像形成装置において、前記交換可能な部品が、画像形成用のインク射出ユニットであることを特徴とする。
【００１７】
請求項１０に係るものは、請求項１から３のいずれかの画像形成装置において、前記交換可能な部品が、ユーザーによって交換可能な部品が、画像形成用のインク射出ユニットとインクを含む消耗部品ユニットを一体化したカートリッジであることを特徴とする。
【発明の効果】
【００１８】
本発明の画像形成装置は、装置内に画像形成部から物理的に隔てられた空間が形成されるので、その空間に画像形成に熱的や電気的な影響を及ぼす部品が配置されても、画像形成の性能に影響を及ぼさないという効果がある。
【発明を実施するための最良の形態】
【００１９】
以下、本発明の実施形態に関して、添付図面を参照して説明するが、本発明の前提は以下のようなものである。
すなわち、設置面に対して垂直に配置された二つの対抗する面を形成する構造体部品（側板など）と、ユーザーによって交換可能な部品を有する画像形成部を持つ画像形成装置である。そして前記構造体部品と、設置面と平行に前記構造体の間に配置された仕切り板と、前記構造体に固定され仕切り板と接する略Ｌ字型のステーの２面、それらによって５面を囲まれることで前記画像形成部と隔てられた空間を形成している。その仕切り板とステーは、ネジ締結、リベット留め、溶接など各種固定方法によって固定されている。また、画像形成部と隔てられた空間に、通電する部品（基板等）もしくは前記部品とそれを保持するブラケットのセットが配置され、その取り付けは前記ステーになされている。
【実施例１】
【００２０】
図１は、本発明の実施対象となる画像形成装置の概要を示す概略断面図、図２は、図１に示した画像形成装置の構造体の斜視図、図３は、図２に示した画像形成装置の構造体の正面図である。
【００２１】
図１は本発明の実施対象となる画像形成装置の一例である複写機の全体概略図である。図１において、１１０は作像部、１２０はスキャナ部、１３０は転写紙Ｓ（なお、本明細書において転写紙とは、紙だけでなくＯＨＰ用紙等、この種の装置において記録媒体として画像の転写対象とするものすべてを含むものとする。）を収納し、かつ送り出すための給紙部、１４０は圧板（もしくは原稿給紙装置）、１５０はコンタクトガラスである。給紙部１３０は一対の給紙トレイ１６０、１６０と手差しトレイ１７０とからなる。図中１８０は排紙部である。また図中２００はトナー像の担持体である感光ドラムを備える感光体ユニットであり、その周囲に現像装置２１０、光学ユニット２２０、転写搬送ベルト２３０、レジストローラ対２４０、熱定着装置２５０、両面画像形成のための反転搬送ユニット２６０等が配置してある。これらの複写機の構成、動作については周知であるので説明を省略する。なお、本発明は図示のタイプの画像形成装置には限定されず、種々のものに適用可能であることは言うまでも無い。
【００２２】
上述のような画像形成装置の構造体は、ベース１１と前側板１２と後側板１３を具備し、前側板１２に設けられた穴３０からユーザーによるユニット交換等が行われ得るようになっている。画像形成部の前側板には複数の穴３０が設けられている。本実施例においては、開口部４３にはトナー補給のためのトナーボトルがユーザー交換可能に配置され、開口部４３を通して着脱され得るものとする。そして、開口部４２には書込みユニットがメンテナンスを行う作業者によってのみ交換可能に配置され、開口部４２を通して着脱されるようになっているものとする。さらに、開口部４１には感光体ユニットと現像ユニットを一体化したカートリッジがユーザー交換可能に配置され、開口部４１を通して着脱され得るようになっている。
【００２３】
図４は、図２に示した構造体の模式図である。すなわち、ベース１１と前側板１２と後側板１３を具備し、その側板の間には側板に固定された給紙トレイ部と画像形成部の仕切り板１４、それとステー１５が配置されており、それぞれが接している。この図４から分かるように側板１２、１３内の空間はステー１５によって、右半分の画像形成部Ｘと画像形成部から隔てられた左半分の空間（以下、左空間部Ｙと言う）に分けられている。
【００２４】
図５は、図４の前側板１２を取り去って示す画像形成装置構造体の斜視図である。ステー１５の下部は仕切り板１４と接しており、ネジ４０によって締結されている。そして、ステー１５によって画像形成部と隔てられて左空間部Ｙに基板２１が配置されている。図６は、図５の左側から見た側面図であり、基板２１がステー１５に固定される形状であることを示している。
【００２５】
図７は、図５と同様に前側板１２を非表示とし、ステー１５に設けられた切り欠き１５ａが、基板２１からのハーネス２２の経路となっていることを示している斜視図である。
【００２６】
この画像形成装置においては、上述したように、装置内（側板内）に画像形成部Ｘから物理的に隔てられた左空間部Ｙが形成されるので、その左空間部Ｙに画像形成に（熱的、電気的など）影響を及ぼす部品（図示の例では基板２１）が配置されていても、画像形成の性能に影響を及ぼさない。また、左空間部Ｙは、ユーザーが交換するユニットが配置されている空間（画像形成部Ｘ）と隔てられているので、たとえ左空間部Ｙに危険な部品が配置されていてもユーザーは触れることができず、そのためユーザーの安全が確保される。
【００２７】
そして、ステー１５と仕切り板１４がネジ締結等で固定されているので、左空間部Ｙの密閉性が向上し、それにより画像形成部Ｘへの影響がより少なくなる。
【００２８】
また、左空間部Ｙに電気部品が配置された場合、ステー１５と仕切り板１４をネジ等の電気的導通を取り得る手段で固定すれば、電気部品からの電磁波が画像形成部Ｘでの画像形成に影響を及ぼさない電気的にシールドの効果が発生する。
【００２９】
さらに、左空間部Ｙに電気部品が配置されていても、その部品からの発熱や放射電磁波が画像形成部Ｘには影響を及ぼさない。
【００３０】
そして、左空間部Ｙを形成しているステー１５の端縁部に切り欠き１５ａが設けられているので、隔てられた左空間部Ｙに配置された電気部品のハーネス経路を確保できる。
【実施例２】
【００３１】
本発明の第２の実施例を図８に示す。なお図８も、画像形成装置において前側板１２を非表示にしたものである。本実施例では、後側板１３に設けられた絞り形状部位（凹形状部位）１３ａによって、ステー１５との間に隙間ができ、そこが基板２１からのハーネス２２の経路となっている。
【００３２】
すなわち実施例２の画像形成装置においては、隔てられた空間を形成している後側板１３に絞り形状部位１３ａが設けられているので、左空間部Ｙに配置された電気部品のハーネス経路を２通り確保できる。また、切り欠きではなく絞り形状部位１３ａによってハーネス経路を設けているので、部品の強度には影響を及ぼさない。
【実施例３】
【００３３】
本発明の実施例３を図９に示す。図９も、画像形成装置において前側板１２を非表示にしたものである。本実施例では、後側板１３に設けられた絞り形状部位１３ａとステー１５に設けられた切り欠きによって、側板とステーの隙間が装置の前後にでき、ハーネス（２２）（２３）の経路となっていることを示している。尚、経路が複数できるならば、前側板側のみでも後側板側のみでも構わない。
【００３４】
この実施例の画像形成装置においては、複数のハーネス経路を設け得るので、複数のハーネスを介するお互いの信号にノイズが乗ってしまうことなどがないので、同じ経路を通せないハーネスを分けて配設することができる。
【００３５】
例えば、後側板１３に設けられた絞り形状部位１３ａとステー１５に設けられた切り欠き１５ａによって、複数のハーネス経路を形成し、ＡＣハーネス２２とＤＣハーネス２３を別経路に通すことが可能となる。もとろん、必要に応じてＡＣとＤＣハーネスの配設は図の例とは逆でも構わない。
【００３６】
ＡＣハーネス２２とＤＣハーネス２３を分けて配設すれば、ハーネス同士の絶縁距離が保たれ、ショートやノイズを防ぐことができる。
【図面の簡単な説明】
【００３７】
【図１】発明の実施対象となる画像形成装置の概要を示す概略断面図
【図２】図１に示した画像形成装置の構造体の斜視図
【図３】図２に示した画像形成装置の構造体の正面図
【図４】図２に示した構造体の模式図
【図５】図４の前側板を取り去って示す画像形成装置構造体の斜視図
【図６】図５の左側から見た側面図
【図７】図５と同様の構造で、ステーに設けられた切り欠きが、ハーネスの経路となっていることを示す斜視図
【図８】本発明の第２の実施例を示す斜視図
【図９】本発明の第３の実施例を示す斜視図
【符号の説明】
【００３８】
１１：ベース
１２：前側板
１３：後側板
１３ａ：絞り形状部位（凹形状部位）
１４：仕切り板
１５：ステー
１５ａ：切り欠き
２１：基板
２２：ハーネス
２３：ＡＣハーネス
２４：ＤＣハーネス
３０：穴
４０：ネジ
４１〜４３：開口部
１１０：作像部
１２０：スキャナ部
１３０：給紙部
１４０：圧板（もしくは原稿給紙装置）
１５０：コンタクトガラス
１６０：給紙トレイ
１７０：手差しトレイ
１８０：排紙部
２００：感光体ユニット
２１０：現像装置
２２０：光学ユニット
２３０：転写搬送ベルト
２４０：レジストローラ対
２５０：熱定着装置
２６０：反転搬送ユニット
Ｓ：転写紙
Ｘ：画像形成部
Ｙ：左空間部
【図１】
0005078550.tif 000002
【図２】
0005078550.tif 000003
【図３】
0005078550.tif 000004
【図４】
0005078550.tif 000005
【図５】
0005078550.tif 000006
【図６】
0005078550.tif 000007
【図７】
0005078550.tif 000008
【図８】
0005078550.tif 000009
【図９】
0005078550.tif 000010